(57)【要約】【課題】簡単なマークシートを用いて病院情報の解析が容易にできる病院情報解析システムを提供する。【解決手段】画像サイズが所定のサイズか否かを判断し（Ｓ１２１）、所定のサイズであれば（Ｓ１２１でＹＥＳ）、境界を検出する（Ｓ１２２）。領域を計測し（Ｓ１２３）、位置決めマークが４個以上存在するか否かを判断する（Ｓ１２４）。位置決めマークが４個以上存在すれば（Ｓ１２４でＹＥＳ）、バーコードを認識する（Ｓ１２５）。バーコードが認識できれば（Ｓ１２６でＹＥＳ）、マークシートを特定できるため、マーク位置小領域を計測し（Ｓ１２７）、マークの有無を検出する。【選択図】図５
2010026598.tif 000002
【特許請求の範囲】
【請求項１】
病院情報が記録されたマークシートを読取って、マークされた情報を解析する病院情報解析システムであって、
前記病院情報が記録されたマークシートを読取る読取り装置と、
前記読取り装置で読取ったマークシートからマークされた情報を解析する解析手段とを含み、
前記マークシートは、所定の位置決めマークと、マークシートを特定するマークシート特定情報とを有し、
前記解析手段は、
前記読取り手段で読取ったマークシートから前記位置決めマークおよびマークシート特定情報を検出する検出手段と、
前記検出手段の検出したマークシート特定情報に基づいて前記マークシートを特定するマークシート特定手段と、
前記検出手段の検出した前記位置決めマークと前記マークシート特定手段が特定した前記マークシートを特定する情報とから、マークシートにマークされた病院情報を検出する病院情報検出手段とを含む、病院情報解析システム。
【請求項２】
前記病院情報検出手段は、前記マークシートのマーク位置近傍における画像濃度の分散を考慮してマークの有無を判断するマーク判断手段を含む、請求項１に記載の病院情報解析システム。
【請求項３】
前記マークシート特定情報は、バーコードである請求項１または２に記載の病院情報解析システム。
【発明の詳細な説明】
【技術分野】
【０００１】
この発明は病院情報解析システムに関し、特に、データ処理の容易な病院情報解析システムに関する。
【背景技術】
【０００２】
従来病院の業務においては基本的に紙媒体に記入された文書が利用されている。ペーパレスの運用がなされている病院も存在するが、同意書や、患者、医師のサインが必要な書類は紙媒体の情報として扱う必要がある。ある程度電子化が進んだ病院においては、これら紙媒体の情報はスキャナで取り込む形で後に参照できるようにしている場合が多い。この場合、スキャナで取り込まれた情報をオーダリング情報等と結びつけることで、ある紙媒体の情報がどのような目的で、誰の情報であるのかを管理していた。このような紙媒体の情報の管理には一般にマークシートが用いられる。
【０００３】
このような、マークシートを用いた場合の従来のシステムが、たとえば、特開２００６-１５５０７７号公報（特許文献１）に開示されている。
【０００４】
特許文献１においては、マークシートに２次元コードを付記し、この２次元コードには、シート上におけるマーク欄の位置情報と、それぞれのマーク欄に割り当てている項目情報とを含ませて、マークシート解読装置に、マークシート種類に応じた位置情報、これに応じた特定情報を予め登録することなく、マークシートを読み取るだけで、これらの情報の解読が可能なシステムを開示している。
【特許文献１】特開２００６-１５５０７７号公報（要約）
【発明の開示】
【発明が解決しようとする課題】
【０００５】
昨今の病院業務は上記のように行なわれていた。しかしながら、上記のような状態では、当然情報の中身そのものまでデータ化することは不可能であった。その結果、データ化したい情報については、システム上に実装した上で、パソコンやＰＤＡ（Personal Data Assistant）等を用いた端末による入力を行っている。これらのことから、どのような簡易な情報を入力する場合でもデータ化したい場合はパソコンのような端末を用いる必要があることは、今までに紙上のチェックシート等を用いていたことを考えると多大な手間であり、病院情報システムに対する不満に繋がっているのが現状である。
【０００６】
一方、データをマークシートに記載し、それを読取ってデータ入力する方法も上記のように、従来から提案されているが、簡便なシステムとする場合には、マークシートに、シート上におけるマーク欄の位置情報と、それぞれのマーク欄に割り当てている項目情報とを含ませた２次元コード等を付記する必要があり、マークシートが複雑になるという問題があった。
【０００７】
この発明は上記のような問題に鑑みてなされたもので、簡単なマークシートを用いて病院情報の解析が容易にできる、病院情報解析システムを提供することを目的とする。
【課題を解決するための手段】
【０００８】
この発明に係る、病院情報解析システムは、マークシートを読取って、マークされた情報を解析する。病院情報解析システムは、マークシートを読取る読取り装置と、読取り装置で読取ったマークシートからマークされた病院情報を解析する解析手段とを含む。マークシートは、所定の位置決めマークと、マークシートを特定するマークシート特定情報とを有する。解析手段は、読取り手段で読取ったマークシートから位置決めマークおよびマークシート特定情報を検出する検出手段と、検出手段の検出したマークシート特定情報に基づいてマークシートを特定するマークシート特定手段と、検出手段の検出した位置決めマークとマークシート特定手段が特定したマークシートを特定する情報とから、マークシートにマークされた病院情報を検出する病院情報検出手段とを含む。
【０００９】
マークシートから位置決めマークおよびマークシート特定情報を検出し、検出した特定情報と位置決めマークとから、マークシート上のマークされた病院情報を検出するため、簡単なマークシートを用いて病院情報の検出が容易にできる。
【００１０】
好ましくは、病院情報検出手段は、マークシートのマーク位置近傍における画像濃度の分散を考慮してマークの有無を判断するマーク判断手段を含む。
【００１１】
さらに好ましくは、マークシート特定情報は、バーコードである。
【発明を実施するための最良の形態】
【００１２】
以下、この発明の一実施の形態を、図面を参照して説明する。図１は、この発明の一実施の形態に係る病院情報が記録されたマークシートを読取って、マークされた情報を解析する病院情報解析システムの要部を示すブロック図である。
【００１３】
図１を参照して、病院情報解析システムは、病院情報が記録されたマークシート２０を読取るスキャナ（読取り装置）１１と、スキャナに接続された病院情報解析装置１２とを含む。病院情報解析装置１２は基本的にコンピュータであって、ＣＰＵ（Central Processing Unit）１３と、ＣＰＵ１３によって制御される、ディスプレイのような表示部１５と、ハードディスクのような記憶部１６と、ネットワーク等を介して通信するための通信部１７と、スキャナ１１等とのインターフェイスとなるインターフェイス部１４とを含む。
【００１４】
記憶部１６は、後に説明するように、マークシート２０の特定情報と、レイアウトに関する情報を予め保持している。
【００１５】
図２は、病院情報が記録されたマークシート２０を示す図である。図２を参照して、マークシート２０は、マークシート２０の内容を特定するバーコード２１と、マークシート２０のアクセスアドレスが記録された２次元バーコード２２と、マークシート２０の４隅の４箇所に設けられた位置決めマーク２３ａ〜２３ｄと、マークシート２０の左側に設けられた文字印刷エリア２５と、文字印刷エリア２５の右側に設けられたマーク領域２６とを含む。
【００１６】
バーコード２１はマークシート特定情報であり、このバーコード２１によってマークシート２０がどのような内容に関するものであるのかが分かる。すなわち、バーコードは、マークシートが、問診表なのか、指示簿(医師から各コメディカルスタッフへの指示書)なのか、処方箋（ドクターから薬剤師への指示）なのか、検査指示（ドクターから検査部、放射線部等へ）なのか、看護実施指示なのか（点滴、投薬、検診など）等を示す。メディカルスタッフは法律上、「医療行為は医師の指示のもと実施する」ことになっているため、すべての業務依頼は指示があることによってなされ、それらは票簿、帳票として残される。
【００１７】
位置決めマーク２３ａ〜２３ｄは、マークシート２０の上下左右の位置を決定する。したがって、この位置が分かれば、それらに対する相対位置を検出することによって、文字印刷エリア２５やマーク領域２６を検出できる。
【００１８】
なお、２次元バーコード２２は、病院情報解析装置がウエブサーバ（Web Server）の場合の、サーバへのアクセス先として、ＵＲＬ（Uniform Resource Locator）やメールアドレスを記載している。
【００１９】
次に、病院情報解析装置１０の動作について説明する。図３は病院情報解析装置１０のＣＰＵ１３が行なう動作を示すフローチャートである。図３を参照して、ＣＰＵ１３は、まず、スキャナ１１からマークシート２０を読取る（Ｓ１１）。読取った情報は図示のないＲＡＭに格納され、表示部１５に表示される。読取った情報の解析をし（Ｓ１２）、その結果をハードディスク１６に記録する（Ｓ１３）。なお、これは、図示のないプリンタ等に印刷してもよい。
【００２０】
図５は図３のＳ１２で示した解析処理の詳細を示すフローチャートである。図５を参照して、解析処理においては、まず、画像サイズが所定のサイズか否かを判断する（Ｓ１２１）。この所定のサイズとは、後に説明する、画像の短辺の画素数が一定の画素数（ここでは、たとえば、１００画素）を下まわる程度のサイズをいう。
【００２１】
所定のサイズであれば（Ｓ１２１でＹＥＳ）、境界を検出する（Ｓ１２２）。
【００２２】
ここで、境界の検出処理は画像の輝度が急峻に変化する部分を境界と識別する処理である。一般的なエッジ検出アルゴリズムには、Ｓｏｂｅｌ法、Ｌａｐｌａｃｉａｎ法、Ｃａｎｎｙ法が存在する。これらのうちいずれを用いてもよいが、Ｃａｎｎｙ法が好ましい。これは、Ｃａｎｎｙ法は、エッジ強調画像の稜線をエッジとして出力するもので、ノイズをエッジと誤検知しにくい方法だからである。なお、この方法では、エッジが１画素の幅となるため、領域の輪郭追跡をする前に、領域の拡大処理を行っている。
【００２３】
領域を計測し（Ｓ１２３）、位置決めマーク２３ａ〜２３ｄが４以上存在するか否かを判断する（Ｓ１２４）。位置決めマーク２３ａ〜２３ｄが４個以上存在すれば（Ｓ１２４でＹＥＳ）、バーコード２１を認識する（Ｓ１２５）。バーコード２１が認識できれば（Ｓ１２６でＹＥＳ）、マークシート２０を特定できるため、図４に示すデータに基づいてマーク位置小領域を計測する（Ｓ１２７）。このマーク位置小領域は１個のマークを記入する領域であり、それが、位置決めマーク２３ａ〜２３ｄとどのような位置関係にあるのかを示す情報は図４に示すようにハードディスク１６に格納されている。このように、マークシート用紙のレイアウトに関する情報を事前に持っているため、読取った画像で
位置決めマーク２３ａ〜２３ｄの位置がわかればシート内部の位置を計算することができる。以上のように、ＣＰＵ１３は、解析手段、検出手段、マークシート特定手段、病院情報検出手段、および、マーク判断手段として作動する。
【００２４】
この方法を図６に示す。位置決めマーク２３ａ〜２３ｄの位置から、マークシート２０の４隅の位置を特定し、左隅にある位置決めマーク２３ａを基準として、横方向（Ｘ方向）の距離Ｘ１と縦方向（Ｙ方向）の距離Ｙ１とを求め、これに対するマークの位置Ｘ２，Ｙ２を求める。Ｘ２／Ｘ１、および、Ｙ２／Ｙ１からマークの位置を特定できる。そして、マーク位置を含む小領域における統計量を計算する。すなわち、その領域が実際にマークされていれば図７に示すように小領域内部に明るい画素と暗い画素が存在することになり、分散を計算すれば大きな値となる。一方、マークされていない領域では分散が小さな値となる。計算された分散をある閾値で判定することでマークのあるなしを判断できる。
【００２５】
Ｓ１２４で位置決めマーク２３ａ〜２３ｄが４個未満しか検出できなかったり、Ｓ１２６でバーコードの認識ができなかったときは、画像を縮小して（Ｓ１２８）Ｓ１２１に戻る。ここで、画像を縮小するのは、上記のアルゴリズムを用いてエッジ検出を行っても４隅の位置あわせ用のマークの認識がうまくいかないことがあるためで、その場合でも画像を縮小すると比較的うまく検出できるので縮小している。ただし、Ｓ１２１に戻っても、画像の短辺の画素数が１００画素を下まわる程度になると、後の処理における誤差が大きくなるためそれ以上小さくはせず、認識を中止する。
【００２６】
なお、小領域は、マーク位置の大きさの１．５倍の大きさを取出し、取出した領域を相互に重ならせて９分割して、それぞれの領域の分散を求め、その最大値をその小領域の分散としている。マークがなければ分散値は小さくなり、マークされていれば分散値は大な値となるためマークの有無を判別できる。
【００２７】
また、バーコードの認識は、バーコードは縦方向に見た場合と横方向に見た場合で画像の性質が異なるため。それを用いて判断する。
【００２８】
なお、スキャナで撮った画像のように高精細の画像であれば、上記したエッジ検出を用いてマークを検出することができる。
【００２９】
一方、上記した分散を用いれば、携帯電話のカメラのような画素数の小さな画像でも、画像中のマーク位置の領域を検出可能になる。
【００３０】
次に、この発明の他の実施の形態について説明する。上記実施の形態においては、病院情報解析装置を、病院内の情報の解析に用いた場合について説明した。この実施の形態においては、医療分野に比べて書類の電子化が進んでいない福祉分野における利用について説明する。たとえば、介護保険制度において、事務上の記録は紙の書類で残すことが原則となっている。最近、業務の一部が電子化されるようになったが、紙の記録を書いた後、別途、コンピュータに入力するという作業の二重化がおこり、更に業務が増大している。紙に記録されたものをスキャナで読み取りそのまま内容を項目別にコンピュータに自動入力できれば効率的であるが、この実施の形態はまさにそれを可能にする。
【００３１】
ケアマネージャが作成したケアプランに基づいたモニタリング項目や業務報告は、利用者によってサービス項目、広告項目が異なるので利用者へのサービス内容にあわせた報告書を、マークリーダシート方式で印刷出力し、ヘルパーが業務を終了した時点で報告書を作成（該当箇所の塗りつぶし）をおこない、その報告書の写真を携帯電話などのカメラなどで撮り、そのまま事務所に写真つきメールとして送信すれば、報告作業量だけでなく時間的にも効率的である。
【００３２】
図８はこの実施の形態における全体構成を示す模式図である。図８を参照して、この場合の情報解析システムは、ケアプランに関連する所定の項目が記載された、先の実施の形態におけるのと同様のマークシート３１を撮影するカメラ機能を有するカメラ付き携帯電話のような通信装置３２と、先の実施の形態における病院情報解析装置１２と同様の機能を有するケアセンタサーバ３４とを含み、通信装置３２とケアセンタサーバ３４とは、インターネットのようなネットワーク３３で相互に通信可能である。
【００３３】
この実施の形態においては、通信装置３２はカメラで撮影したマークシート３１の写真（画像）をメールに添付してケアセンタサーバ３４に送信する。ケアセンタサーバ３４は、病院情報解析装置と同様の処理を行って、マークシート３１の画像をスキャナ１１から読取った情報と同様にＲＡＭに格納してマークされた位置等を検出する。
【００３４】
その後、マークシート３１の内容を図示のないプリンタやディスプレイに出力する。このようにすれば、ケアプランの利用者に関わる事業者、他のサービスプロバイダー、ケアギバーでその内容を共用することができる。
【００３５】
なお、上記実施の形態においては、ネットワークを介して通信装置からマークシートの画像を解析装置に送信する場合を、ケアプランを例にあげて説明したが、これに限らず、遠隔地で、病院情報に関するマークシート２０をカメラ機能を有する通信装置で読取って、病院情報解析装置に送信してもよい。
【００３６】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００３７】
【図１】この発明の一実施の形態に係る病院情報解析システムを示すブロック図である。
【図２】マークシートを示す図である。
【図３】病院情報解析システムのＣＰＵが行なう動作を示すフローチャートである。
【図４】ハードディスクに格納された情報を示す図である。
【図５】病院情報解析システムのＣＰＵが行なう動作を示すフローチャートである。
【図６】主題部の抽出方法を説明する図である。
【図７】マーク小領域を検出する方法を示す図である。
【図８】この発明の他の実施の形態を示す図である。
【符号の説明】
【００３８】
１０  病院情報解析システム、１１  スキャナ、１２  病院情報解析装置、１３  ＣＰＵ、１４  インターフェイス部、１５  表示部、１６  記憶部、１７  通信部、２０  マークシート、２１  バーコード、２２  ２次元バーコード、２３  位置決めマーク、２５  文字印刷エリア、２６  マーク領域。
【図１】
2010026598.tif 000003
【図２】
2010026598.tif 000004
【図３】
2010026598.tif 000005
【図４】
2010026598.tif 000006
【図５】
2010026598.tif 000007
【図６】
2010026598.tif 000008
【図７】
2010026598.tif 000009
【図８】
2010026598.tif 000010